(57)【要約】【課題】  配管の溶接個所と、その溶接条件を対応付けて把握することができる溶接条件管理端末及びシステムを提供する。【解決手段】  溶接条件管理端末１００の識別情報読み取り部１２０が、溶接テストに用いられるテストピースに付与されたテスト識別情報を読み取り、溶接条件書き込み部１５１が、溶接テストの際の溶接条件情報とを対応付けてメモリ１１０に書き込む。溶接条件読み出し部１５２が、溶接条件情報をメモリ１１０から読み出し、出力部１４０に出力させる。識別情報読み取り部１２０が、溶接条件情報に従って溶接された配管の溶接個所に付与された溶接個所識別情報を読み取り、溶接施工管理情報書き込み部１５３が、溶接個所識別情報と、テスト識別情報を含む溶接施工管理情報とを対応付けてメモリ１１０に書き込む。溶接施工管理情報読み出し部１５４が、溶接施工管理情報をメモリ１１０から読み出し、出力部１４０に出力させる。【選択図】    図１
2006272453.tif 000002
【特許請求の範囲】
【請求項１】
溶接テストに用いられるテスト用配管材に貼付されたテスト識別情報を読み取るテスト識別情報読み取り手段と、
ユーザが溶接テストの際の溶接条件情報を入力する溶接条件情報入力手段と、
前記テスト識別情報読み取り手段が読み取ったテスト識別情報と前記入力手段によって入力された溶接条件情報とを対応付けて溶接条件情報記憶手段に書き込む溶接条件情報書き込み手段と、
前記溶接条件情報記憶手段内の溶接条件情報を読み出し表示手段に出力する溶接条件情報出力手段と、
配管の溶接個所に貼付された溶接個所識別情報を読み取る溶接個所識別情報読み取り手段と、
ユーザが前記テスト識別情報を含む溶接施工管理情報を入力する溶接施工管理情報入力手段と、
前記溶接個所識別情報読み取り手段が読み取った溶接個所識別情報と、前記溶接施工管理情報とを対応付けて溶接施工管理情報記憶手段に書き込む溶接施工管理情報書き込み手段と、
前記溶接施工管理情報記憶手段内の溶接施工管理情報を読み出し前記表示手段に出力する溶接施工管理情報出力手段と、
を具備することを特徴とする溶接条件管理端末。
【請求項２】
前記溶接施工管理情報書き込み手段は、前記溶接条件情報に従って溶接された配管の溶接個所に固有な情報と、前記テスト識別情報とを含む溶接施工管理情報を前記溶接施工管理情報記憶手段に書き込むことを特徴とする請求項１に記載の溶接条件管理端末。
【請求項３】
溶接条件管理端末と、管理サーバとを有する溶接条件管理システムにおいて、
前記溶接条件管理端末は、
溶接テストに用いられるテスト用配管材に貼付されたテスト識別情報を読み取るテスト識別情報読み取り手段と、
ユーザが溶接テストの際の溶接条件情報を入力する溶接条件情報入力手段と、
前記テスト識別情報読み取り手段が読み取ったテスト識別情報と前記入力手段によって入力された溶接条件情報とを対応付けて端末側溶接条件情報記憶手段に書き込む溶接条件情報書き込み手段と、
前記端末側溶接条件情報記憶手段内の溶接条件情報を読み出し表示手段に出力する溶接条件情報出力手段と、
前記端末側溶接条件情報記憶手段内の前記溶接条件情報を前記管理サーバに送信する端末側溶接条件情報送信手段と、
前記管理サーバから前記溶接条件情報を受信して前記端末側溶接条件記憶手段に格納する端末側溶接条件情報受信手段と、
配管の溶接個所に貼付された溶接個所識別情報を読み取る溶接個所識別情報読み取り手段と、
ユーザが前記テスト識別情報を含む溶接施工管理情報を入力する溶接施工管理情報入力手段と、
前記溶接個所識別情報読み取り手段が読み取った溶接個所識別情報と、前記溶接施工管理情報とを対応付けて端末側溶接施工管理情報記憶手段に書き込む溶接施工管理情報書き込み手段と、
前記端末側溶接施工管理情報記憶手段内の溶接施工管理情報を読み出し前記表示手段に出力する溶接施工管理情報出力手段と、
前記端末側溶接施工管理情報記憶手段内の前記溶接施工管理情報を前記管理サーバに送信する端末側溶接施工管理情報送信手段と、
前記管理サーバから前記溶接施工管理情報を受信して前記端末側溶接施工管理情報記憶手段に格納する端末側溶接施工管理情報受信手段と、
を具備し、
前記管理サーバは、
前記溶接条件管理端末によって送信される溶接条件情報を受信してサーバ側溶接条件情報記憶手段に格納するサーバ側溶接条件情報受信手段と、
前記サーバ側溶接条件情報記憶手段内に格納された前記溶接条件情報を前記溶接条件管理端末からの要求を受けて前記溶接条件管理端末に送信するサーバ側溶接条件情報送信手段と、
前記溶接条件管理端末によって送信される溶接施工管理情報を受信してサーバ側溶接施工管理情報記憶手段に格納するサーバ側溶接施工管理情報受信手段と、
前記サーバ側溶接施工管理情報記憶手段内に格納された前記溶接施工管理情報を前記溶接条件管理端末に送信するサーバ側溶接施工管理情報送信手段と、
を具備することを特徴とする溶接条件管理システム。
【発明の詳細な説明】
【技術分野】
【０００１】
本発明は、配管の溶接条件を管理する溶接条件管理端末及びシステムに関する。
【背景技術】
【０００２】
半導体を製造する過程では特殊なガスが必要となる。このため、半導体製造工場においては、工場内に置かれたガス供給源から半導体製造装置までガスを供給するための配管施工がされている。ここで、半導体製造は、半導体の不良の原因となる塵埃（パーティクル）を防ぐため、クリーンルームで行われており、供給源（ボンベ、液化貯槽タンク）内のガスにおいてもパーティクルの有無を検査し、純度管理を行っている。
ここで、前述の配管施工の際には、定尺４ｍの管を突合せＴＩＧ（タングステン・イナートガス）溶接を行う。その際、溶接個所にかかる外面からの熱が少なすぎると、配管内面まで溶融せずに隙間が生じて塵埃が堆積し、ガスの供給と共にパーティクルが半導体製造装置に同伴されてしまう。一方、熱をかけ過ぎると、配管内面まで溶融して溶接金属が配管内壁面に達し、ヒュームと呼ばれる金属粉が発生する。即ち、半導体製造装置に供給する配管の施工が悪いと、ガスが汚染されてしまうことになる。このような問題が発生しない溶接条件を設定するためには、配管内面に生じる裏波（溶接により配管内面に残る溶接痕（配管が溶融した部分））の幅を見て確認する必要があるが、実際に工場に敷設された配管では、その内面を見る事ができないため、ダミーの配管材（以下、テストピースという）を用いる。
従来においては、テストピースを溶接して内面を確認しながら溶接の条件（電圧、電流、配管材質等）を決定し、その条件を満たすように本溶接を行っていた。図９は、テストピース作成を説明する図である。溶接前の配管材５００ａ、５００ｂの接合部に自動溶接機６００のクランプヘッドを取り付け、これに所望の溶接条件を入力して溶接し、テストピース５００を作成する。テストピースは、裏波５０３が確認できるように展開する。図１０は、テストピースの配管内壁５０２を示す図であり、作業者はこれを見て溶接結果を確認する。このテストピースは、１０年間程度、配管施工会社に保存され管理される。
特許文献１には、溶接前の開先（配管端面の状況）や、溶接後の被破壊検査等の結果のデータをコンピュータに読み取らせる方法が記載されている。
【特許文献１】特許第３０００５３９号公報
【発明の開示】
【発明が解決しようとする課題】
【０００３】
しかしながら、上述した方法では、仮に施工当時には最適な溶接条件だと思われても、その後の技術発展に伴い、更に良い条件が見つかった、又は、使用ガスの性質等、一定の条件が揃った場合に劣化し易くなるようなことが判明した場合、どこの顧客のどのラインが該当するか判明することができず、配管施工をやり直して改善することができないという問題があった。
【０００４】
この発明は上記の点を鑑みてなされたもので、配管の溶接個所と、その溶接条件を対応付けて把握することができる溶接条件管理端末及びシステムを提供することを目的とする。
【課題を解決するための手段】
【０００５】
上記の課題を解決するために、請求項１の発明は、溶接テストに用いられるテスト用配管材に貼付されたテスト識別情報を読み取るテスト識別情報読み取り手段と、ユーザが溶接テストの際の溶接条件情報を入力する溶接条件情報入力手段と、前記テスト識別情報読み取り手段が読み取ったテスト識別情報と前記入力手段によって入力された溶接条件情報とを対応付けて溶接条件情報記憶手段に書き込む溶接条件情報書き込み手段と、前記溶接条件情報記憶手段内の溶接条件情報を読み出し表示手段に出力する溶接条件情報出力手段と、配管の溶接個所に貼付された溶接個所識別情報を読み取る溶接個所識別情報読み取り手段と、ユーザが前記テスト識別情報を含む溶接施工管理情報を入力する溶接施工管理情報入力手段と、前記溶接個所識別情報読み取り手段が読み取った溶接個所識別情報と、前記溶接施工管理情報とを対応付けて溶接施工管理情報記憶手段に書き込む溶接施工管理情報書き込み手段と、前記溶接施工管理情報記憶手段内の溶接施工管理情報を読み出し前記表示手段に出力する溶接施工管理情報出力手段とを具備することを特徴とする溶接条件管理端末である。
【０００６】
また、請求項２の発明は、請求項１の発明において、前記溶接施工管理情報書き込み手段は、前記溶接条件情報に従って溶接された配管の溶接個所に固有な情報と、前記テスト識別情報とを含む溶接施工管理情報を前記溶接施工管理情報記憶手段に書き込むことを特徴とする。
【０００７】
また、請求項３の発明は、溶接条件管理端末と、管理サーバとを有する溶接条件管理システムにおいて、前記溶接条件管理端末は、溶接テストに用いられるテスト用配管材に貼付されたテスト識別情報を読み取るテスト識別情報読み取り手段と、ユーザが溶接テストの際の溶接条件情報を入力する溶接条件情報入力手段と、前記テスト識別情報読み取り手段が読み取ったテスト識別情報と前記入力手段によって入力された溶接条件情報とを対応付けて端末側溶接条件情報記憶手段に書き込む溶接条件情報書き込み手段と、前記端末側溶接条件情報記憶手段内の溶接条件情報を読み出し表示手段に出力する溶接条件情報出力手段と、前記端末側溶接条件情報記憶手段内の前記溶接条件情報を前記管理サーバに送信する端末側溶接条件情報送信手段と、前記管理サーバから前記溶接条件情報を受信して前記端末側溶接条件記憶手段に格納する端末側溶接条件情報受信手段と、配管の溶接個所に貼付された溶接個所識別情報を読み取る溶接個所識別情報読み取り手段と、ユーザが前記テスト識別情報を含む溶接施工管理情報を入力する溶接施工管理情報入力手段と、前記溶接個所識別情報読み取り手段が読み取った溶接個所識別情報と、前記溶接施工管理情報とを対応付けて端末側溶接施工管理情報記憶手段に書き込む溶接施工管理情報書き込み手段と、前記端末側溶接施工管理情報記憶手段内の溶接施工管理情報を読み出し前記表示手段に出力する溶接施工管理情報出力手段と、前記端末側溶接施工管理情報記憶手段内の前記溶接施工管理情報を前記管理サーバに送信する端末側溶接施工管理情報送信手段と、前記管理サーバから前記溶接施工管理情報を受信して前記端末側溶接施工管理情報記憶手段に格納する端末側溶接施工管理情報受信手段とを具備し、前記管理サーバは、前記溶接条件管理端末によって送信される溶接条件情報を受信してサーバ側溶接条件情報記憶手段に格納するサーバ側溶接条件情報受信手段と、前記サーバ側溶接条件情報記憶手段内に格納された前記溶接条件情報を前記溶接条件管理端末からの要求を受けて前記溶接条件管理端末に送信するサーバ側溶接条件情報送信手段と、前記溶接条件管理端末によって送信される溶接施工管理情報を受信してサーバ側溶接施工管理情報記憶手段に格納するサーバ側溶接施工管理情報受信手段と、前記サーバ側溶接施工管理情報記憶手段内に格納された前記溶接施工管理情報を前記溶接条件管理端末に送信するサーバ側溶接施工管理情報送信手段とを具備することを特徴とする溶接条件管理システムである。
【発明の効果】
【０００８】
請求項１の発明によれば、溶接テストに用いられるテスト用配管材に付与されたテスト識別情報を読み取り、溶接テストの際の溶接条件情報と対応付けて記憶手段に書き込み、書き込んだ溶接条件情報を記憶手段から読み出して出力し、溶接条件情報に従って溶接された配管の溶接個所に付与された溶接個所識別情報を読み取り、テスト識別情報を含む溶接施工管理情報と対応付けて記憶手段に書き込み、溶接施工管理情報を記憶手段から読み出して出力するので、配管の溶接個所と、その溶接条件を対応付けて把握することができる。そのため、溶接条件で溶接されたテスト配管材の品質管理を行うことで、追加処置が必要な溶接個所を特定することが可能となり、溶接施工の品質管理を容易に行える。
【０００９】
また、請求項２の発明によれば、溶接個所の固有な情報を格納することができるので、様々な溶接状況を把握することが可能となる。そのため、溶接施工の品質管理を詳細に行える。
【００１０】
また、請求項３の発明によれば、複数のユーザが、溶接条件を共有することができる。また、溶接条件情報及び溶接施工管理情報に修正が必要な場合に、管理サーバの各情報を修正することで、修正内容を共有することができるため、最新の情報を得ることができる。
【発明を実施するための最良の形態】
【００１１】
図２は、本実施形態による溶接条件管理システムの全体図である。この溶接条件管理システムは、半導体工場における配管の各溶接個所の状態を把握するシステムである。１００は、溶接条件管理端末であり、通信Ｉ／Ｆ（Ｉｎｔｅｒｆａｃｅ）２００（端末側溶接条件情報送信手段、端末側溶接条件情報受信手段、端末側溶接施工管理情報送信手段、端末側溶接施工管理情報受信手段）に接続することで、ネットワークＮを経由して管理サーバ３００に接続する。４００は、ネットワークＮを経由して管理サーバ３００と接続する出力装置である。ここで、溶接条件管理端末１００は複数存在し、配管の溶接を行う複数の作業者及び検査を行う複数の検査者によって所持されている。
【００１２】
図１は、溶接条件管理端末１００の構成図である。１１０は、溶接条件情報と溶接施工管理情報を記憶するメモリ（端末側溶接条件情報記憶手段、端末側溶接施工管理情報記憶手段）である。
【００１３】
ここで、溶接条件情報とは、実際に工場に配管する前に、溶接テスト用配管材（以下、テストピースという）を用いて行う溶接テストで決定した、電圧・電流、溶接時の日付、気温、時間帯（ＡＭ・ＰＭ等）等を含むデータを指す。工場の配管時には、この溶接条件を自動溶接機に設定して行う。図３（ａ）の四角形で囲まれた部分３０１は、自動溶接機の設定面を図示したものである。溶接を行う作業者は、この表の空欄部分の設定値を何度か変化させて溶接テストを行い、最適な設定値を溶接条件として格納させる。ところで、溶接の際、溶接個所は、重力の影響を受けて溶融する。溶接個所の断面における位置毎に溶接条件を変えなかった場合、配管の天面部分では配管内面方向に撓み、底面部分では配管外方向に撓むことが、一般的に知られている。半導体工場における配管施工においては、この影響を少なくするため、配管の断面を１／４ずつ分割（図３（ｂ）の配管断面図３０２におけるＬＥＶＥＬ１〜４）し、図３（ａ）の囲み部分３０３に示すように１／４分割部分毎に異なる設定値を用いて溶接する。そのため、メモリ１１０に格納される溶接条件情報は、上記のような１／４分割部分毎の設定値が含まれる。
【００１４】
また、溶接施工管理情報とは、配管の溶接時に従った溶接条件に対応するテストピースに付与された識別情報（以下、テスト識別情報という）、溶接作業者名、溶接検査者名、溶接日等を示すデータが、配管の溶接個所に付与された識別情報（以下、溶接個所識別情報という）毎に、格納されたデータを指す。図４に、溶接施工管理情報の内容を示す。本図中の“溶接個所”欄内の“ＴＰ−Ｎｏ．”欄に書かれた番号は、テスト識別情報である。
【００１５】
図１における１２０は、バーコード読み取り装置によって構成される識別情報読み取り部（テスト識別情報読み取り手段、溶接個所識別情報読み取り手段）である。１３０は、ファンクションキー、カーソルキーで構成される入力部である。１４０は、液晶ディスプレイで構成される出力部（溶接条件情報出力手段、溶接施工管理情報出力手段）である。１６０は、コネクタで構成される接続機構（端末側溶接条件情報送信手段、端末側溶接条件情報受信手段、端末側溶接施工管理情報送信手段、端末側溶接施工管理情報受信手段）である。
【００１６】
１５０は、溶接条件管理端末１００を統括して制御する制御部である。１５１は、識別情報読み取り部１２０によって読み取られた識別情報が、テスト識別情報である場合、そのテスト識別情報と溶接条件情報とを対応付けてメモリ１１０に書き込む溶接条件書き込み部である。
【００１７】
１５２は、メモリ１１０内の溶接条件情報を読み出す溶接条件読み出し部（溶接条件情報出力手段）である。１５３は、識別情報読み取り部１２０によって読み取られた識別情報が溶接個所識別情報である場合、その溶接個所識別情報と、前述の溶接施工管理情報とを対応付けてメモリ１１０に書き込む溶接施工管理情報書き込み部である。１５４は、メモリ１１０内の溶接施工管理情報を読み出す溶接施工管理情報読み出し部（溶接施工管理情報出力手段）である。
【００１８】
次に、通信Ｉ／Ｆ２００について説明する。通信Ｉ／Ｆ２００は、溶接条件管理端末１００と接続する機構を持ち、ネットワークＮに接続する。
【００１９】
次に、管理サーバ３００について説明する。図５は、管理サーバ３００の構成図である。３１０は、溶接条件管理端末１００から送信される溶接条件情報、及び溶接施工管理情報を格納し、また、予めサブデータファイルを格納しているメモリ（サーバ側溶接条件情報記憶手段、サーバ側溶接施工管理情報記憶手段）である。ここで、サブデータファイルとは、溶接条件、或いは溶接施工管理情報の各項目の候補となるデータを、項目毎に格納するファイルを指す。例えば、配管材質のサブデータファイルには、配管材質名（材質Ａ、材質Ｂ…等）が格納されている。３３０は、キーボード、マウス等で構成される入力部である。３４０は、ＣＲＴ（Ｃａｔｈｏｄｅ  Ｒａｙ  Ｔｕｂｅ）等で構成される出力部である。３６０は、ネットワークＮに接続する通信Ｉ／Ｆである。
【００２０】
３５０は、管理サーバ３００を統括して制御する制御部である。３５１は、溶接条件管理端末１００によって送信される溶接条件情報と溶接施工管理情報とを受信してメモリ３１０に格納する端末情報受信部（サーバ側溶接条件情報受信手段、サーバ側溶接施工管理情報受信手段）である。３５２は、メモリ３１０内に格納された溶接条件情報と溶接施工管理情報とを溶接条件管理端末１００に送信する端末情報送信部（サーバ側溶接条件情報送信手段、サーバ側溶接施工管理情報送信手段）である。
【００２１】
次に、出力装置４００について説明する。出力装置４００は、管理サーバ３００に接続される印刷装置等で構成される。
【００２２】
ここで、上記の溶接条件管理端末１００及び管理サーバ３００は、ＣＰＵ（中央演算装置）（図示せず）を実装しており、それぞれの各制御部が含む上述した各機能を実現するプログラム（図示せず）をメモリ１１０上にロードして実行することで実現する。
なお、上記の各機能は、専用のハードウェアを用いて実現されても良い。
【００２３】
次に、テストピース作成時の溶接条件と配管時の溶接施工管理情報とを対応付けて記憶する動作を説明する。
図６は、溶接条件管理端末１００が、テスト識別情報と溶接条件、及び、溶接個所識別情報と溶接施工管理情報を格納する動作を示すフローチャートである。まず、管理サーバ３００を管理するサーバ管理者は、作業者から溶接条件管理端末１００を受け取り、通信Ｉ／Ｆ２００に接続する。次いで、管理サーバ３００の入力部３３０から、メモリ３１０内のサブデータファイルを溶接条件管理端末１００に送信するよう要求する。これを受けて、管理サーバ３００の制御部３５０は、メモリ３１０からサブデータファイルを読み出し、通信Ｉ／Ｆ３６０を制御して、溶接条件管理端末１００に送信する。溶接条件管理端末１００の制御部１５０は、ネットワークＮを介して接続機構１６０からサブデータファイルを受信する。
【００２４】
以下では、作業者が、テストピースを作成し、その溶接条件を登録する動作を説明する。作業者は、２つの配管材を溶接したテストピースを作成し、最適な溶接条件を決定する。図７は、バーコードシール５０１が貼付されたテストピース５００の説明図である。テストピース５００は、２本の配管材５００ａ、５００ｂを溶接個所Ｐで溶接し、裏波５０３を確認できるように展開し、配管施工会社で保管するためのものである。作業者は、これらを溶接した後、バーコード表記されたテスト識別情報が印刷されたシール５０１を、図７のように溶接個所Ｐからずれたテストピース５００の外壁上に貼る。ここで、このテスト識別情報を印刷したシールは、同じテスト識別情報を持つシールが存在しないように予め作成しておく。また、素材には、例えば、表面がペット素材、裏面にアルミ蒸着のものを用いる。
【００２５】
その後、作業者が、溶接条件管理端末１００を起動させると、溶接条件管理端末１００の制御部１５０は、タイトル画面を出力部１４０に表示させ（ステップＳ１）た後に、メモリ１１０を参照して、サブデータファイルがあるか否か検索する（ステップＳ２）。ステップＳ２の検索の結果、溶接条件の入力項目の中で、メモリ１１０にサブデータファイルの一部が存在しない場合、溶接条件管理端末１００の制御部１５０は、“○○データが登録されていません”等と出力部１４０にエラー表示をさせる（ステップＳ３）。作業者はこの表示を見て、溶接条件管理端末１００を通信Ｉ／Ｆ２００に接続し、管理サーバ３００の入力部３３０から、不足しているサブデータファイルを溶接条件管理端末１００へ送信するよう要求する。管理サーバ３００の制御部３５０は、これを受けて、メモリ３１０からサブデータファイルを読み出し、通信Ｉ／Ｆ３６０を介して溶接条件管理端末１００に送信する。溶接条件管理端末１００の制御部１５０は、このサブデータファイルを接続機構１６０から受信すると、メモリ１１０に格納する。なお、ステップＳ２のサブデータファイルの検索の動作は無くても良い。
【００２６】
一方、ステップＳ２の検索の結果、溶接条件の入力項目のサブデータファイルが全て存在した場合、制御部１５０は、バーコードの読み込みを開始するか、メモリ１１０内のデータを参照するかの選択ボタンを示すメニュー画面を、出力部１４０に表示させ（ステップＳ４）、入力部１３０からの入力待ちを行う。入力待ちの際に、入力部１３０から、バーコード読み込みの選択ボタンが押下された場合、制御部１５０は、識別情報読み取り部１２０からの入力待ちを行う。その後、作業者は、図７に示すように、テストピース５００のバーコードを溶接条件管理端末１００の識別情報読み取り部１２０から読み取らせる。制御部１５０は、識別情報読み取り部１２０からバーコードが入力されると、メモリ１１０を参照して、入力されたバーコードの示すテスト識別情報が登録済みか否か、即ち、テスト識別情報がメモリ１１０に存在するか否か判断する（ステップＳ５）。登録済みでなかった場合、即ち、入力されたテスト識別情報がメモリ１１０に存在しなかった場合、制御部１５０は、新規登録用画面を表示し、テストピース５００の溶接条件情報登録か、配管の溶接個所の溶接施工管理情報登録かの選択画面を出力部１４０に表示し（ステップＳ６）、入力部１３０からの入力待ちをする。作業者は、出力部１４０の表示を見て、テストピース５００の溶接条件情報登録を入力部１３０から選択する。溶接条件管理端末１００の制御部１５０は、入力部１３０からの入力データを受け付け、選択内容を判定する（ステップＳ７）。そして、制御部１５０は、入力データがテストピース５００の溶接条件情報登録を示すと判定すると、テストピース用新規登録画面を出力部１４０に表示させ（ステップＳ８）、溶接条件情報の入力待ちをする。
【００２７】
この場合、制御部１５０が、前述の溶接条件の各項目の入力欄を出力部１４０に表示させる。作業者が、入力部１３０から、出力部１４０に表示された溶接条件の項目の入力欄の一つを選択すると、制御部１５０は、その項目に対応するサブデータファイルをメモリ１１０から読み出し、このサブデータファイルに格納されている選択項目を出力部１４０に表示させる。なお、この処理は無くても良い。そして、作業者は、出力部１４０の表示を見て、テストピース５００に関する溶接条件情報を入力部１３０から入力し、入力部１３０の登録ボタンを押下する。
【００２８】
溶接条件管理端末１００の溶接条件書き込み部１５１は、入力部１３０から溶接条件情報と登録要求を受け付けると、ステップＳ５で受け付けたテスト識別情報と対応付けて登録、即ち、メモリ１１０に格納する（ステップＳ９）。次いで、制御部１５０は、出力部１４０に、テストピース５００の溶接条件情報の登録を続けて行うかの問い合わせを表示させる。作業者は、出力部１３０の表示を見て、所望の入力を入力部１３０から行う。制御部１５０は、入力部１３０から受け付ける入力データが、登録を続けて行う要求であるか否かを判定する（ステップＳ１０）。入力データが登録を続けて行う要求である場合、ステップＳ８に遷移して処理を繰り返す。一方、入力データが登録を続けて行う要求でない場合、処理を終了する。
【００２９】
以下では、溶接情報を管理サーバ３００へ格納し、その後、管理サーバ３００から他の溶接条件管理端末１００に溶接条件を送信して共有する動作を説明する。サーバ管理者は、テストピースを作成した作業者から、溶接条件管理端末１００を受け取って通信Ｉ／Ｆ２００に接続する。そして、管理サーバ３００の入力部３３０から、溶接条件管理端末１００に格納された溶接条件情報を読み出す要求をする。管理サーバ３００の端末情報受信部３５１は、通信Ｉ／Ｆ３６０を制御し、溶接条件管理端末１００に対して溶接条件情報を要求する。溶接条件管理端末１００の制御部１５０がこれを受信すると、溶接条件読み出し部１５２が、メモリ１１０から溶接条件情報を読み出し、管理サーバ３００に送信する。管理サーバ３００の端末情報受信部３５１は、受信した溶接条件情報をメモリ３１０に格納する。
そして、サーバ管理者は、配管溶接を行う複数の作業者から、配管溶接の前にそれぞれの溶接条件管理端末１００を受け取って通信Ｉ／Ｆ２００に接続し、管理サーバ３００の入力部３３０から、メモリ３１０内の溶接条件情報を溶接条件管理端末１００に送信するよう要求する。管理サーバ３００の端末情報送信部３５２は、メモリ３１０から溶接条件情報を読み出して、溶接条件管理端末１００に送信する。溶接条件管理端末１００の制御部１５０は、受信した溶接条件情報をメモリ１１０に格納する。その後、サーバ管理者は、複数の溶接条件管理端末１００を同様に管理サーバ３００に接続させて上記の処理を繰り返させ、それらを複数の作業員に返却する。
これにより、複数の作業者が、溶接条件を共有することができる。また、溶接条件情報に修正が必要な場合に、管理サーバ３００の溶接条件情報を修正することで、修正内容を共有することができる。
【００３０】
次に、作業者が、工場内の配管時の溶接施工管理情報を登録する動作を説明する。作業者は、溶接を始める前に、前述のように溶接条件管理端末１００に格納された溶接条件を参照し、それに従って配管の溶接作業を行う。
作業者は、担当の配管場所に応じたテスト識別情報を、テストピースを作成した作業者に問い合わせて調べておく。そして、作業者は、所持している溶接条件管理端末１００を起動し、前述のステップＳ１〜Ｓ４の処理を行う。その後、制御部１５０が、入力待ちを行っている際に、作業者が、入力部１３０から、データ参照の選択ボタンを押下する。制御部１５０は、入力部１３０からデータ参照選択を示す入力データを受けて、メモリ１１０内に格納されている情報、即ちテスト識別情報の一覧を出力部１４０に表示させ（ステップＳ３１）、それぞれの欄に選択ボタンを表示させる。作業者が、一覧の中の選択ボタンの一つを入力部１３０から押下すると、選択されたテスト識別情報に対応する溶接条件情報を読み出し、出力部１４０に表示させる（ステップＳ２１）。作業者は、表示された溶接条件を視認し、それに従って配管の溶接作業を行う。
【００３１】
作業者は、溶接作業の際には、溶接個所からずれた位置に、図７のテストピースの場合と同様に、溶接個所識別番号を示すバーコードのシールを貼る。ここで、このシールは、同一の溶接個所識別情報を持つシールが存在しないように予め作成しておく。その後、作業者は、入力部１３０のメニューボタンを押下し、溶接条件管理端末１００は、ステップＳ４に遷移する。そして、配管の溶接個所に貼ったバーコードを、溶接条件管理端末１００の識別情報読み取り部１２０から読み取らせ、制御部１５０が、入力された識別情報を判定する。その後、ステップＳ６の選択画面表示を前述と同様に行う。作業者は、出力部１４０の選択画面の表示を見て、入力部１３０から溶接個所の溶接施工管理情報の登録を選択する。溶接条件管理端末１００の制御部１５０は、前述のステップＳ７同様の処理を行い、入力データが溶接個所の溶接施工管理情報の登録を示すデータであると判定する。そして、制御部１５０は、配管溶接個所用の新規登録画面を出力部１４０に表示させ（ステップＳ１１）、溶接施工管理情報の入力待ちをする。
【００３２】
この時、前述のステップＳ８と同様に、制御部１５０が、前述の溶接施工管理情報の各項目の入力欄を出力部１４０に表示させ、作業者はこれを視認して、入力部１３０から入力欄の一つを選択する。制御部１５０は、その項目に対応するサブデータファイルをメモリ１１０から読み出し、サブデータファイルに格納されている選択項目を表示させる。なお、この処理は無くても良い。
そして、作業者は、出力部１４０の表示を見て、テスト識別情報、溶接作業者名、溶接日等の溶接施工管理情報を入力部１３０から入力し、入力部１３０の登録ボタンを押下する。
【００３３】
次に、溶接条件管理端末１００の溶接施工管理情報書き込み部１５３は、前述のステップＳ９と同様に、入力部１３０から溶接施工管理情報と登録要求を受け付け、ステップＳ５で受け付けた溶接個所識別情報と対応付けて溶接施工管理情報を登録、即ち、メモリ１１０に格納する（ステップＳ１２）。その後、制御部１５０は、前述のステップＳ１０の溶接条件情報に対する処理と同様に、出力部１４０に、続けて溶接施工管理情報の登録をするかの問い合わせを表示させ、入力部１３０から受け付ける入力データが登録を続けて行う要求であるか否かを判定する（ステップＳ１３）。入力データが登録を続けて行う要求である場合、ステップＳ１１に遷移して処理を繰り返す。一方、入力データが登録を続けて行う要求でない場合、処理を終了する。
【００３４】
その後、作業者は、他の溶接個所の溶接作業を行う毎に、上記と同様にして、溶接施工管理情報の登録を行う。そして、時間帯等の溶接条件が変わる毎に、テストピース５００を作成し、溶接条件管理端末１００に新たな溶接条件を入力し、溶接条件管理端末１００は新たな溶接条件情報を登録する。作業者は、新たな溶接条件を溶接条件管理端末１００に表示させ、それに従って配管を行い、新たな溶接個所の溶接施工管理情報を入力する。溶接条件管理端末１００は、新たな溶接施工管理情報を登録する。
【００３５】
その後、サーバ管理者は、複数の作業者からそれぞれの溶接条件管理端末１００を受け取ると、通信Ｉ／Ｆ２００に接続して、前述の溶接条件情報を管理サーバ３００へ格納する動作と同様に、溶接施工管理情報を管理サーバ３００へ格納する。その後、サーバ管理者は、複数の検査者からそれぞれの溶接条件管理端末１００を受け取って通信Ｉ／Ｆ２００に接続し、検査者の溶接条件管理端末１００それぞれに溶接施工管理情報を格納する。
これにより、複数の作業者と複数の検査者の間で、溶接施工管理情報を共有することができる。また、溶接施工管理情報に修正が必要な場合に、管理サーバ３００の溶接施工管理情報を修正することで、修正内容を共有することができる。
【００３６】
次に、溶接条件管理端末１００を用いて、検査者が溶接個所を検査し、外観検査データを登録する動作を説明する。
まず、検査者は、所持している溶接条件管理端末１００を起動し、前述のステップＳ１〜Ｓ４の処理を行い、入力部１３０からバーコード読み込みを選択する。その後、検査者は、図７に示すように、溶接個所のバーコードを溶接条件管理端末１００の識別情報読み取り部１２０から読み取らせる。制御部１５０は、前述のステップＳ５の処理を同様に行い、メモリ１１０内に格納されていると判断する。その後、制御部１５０は、その識別情報が溶接個所識別情報であると判定すると、溶接施工管理情報読み出し部１５４が、メモリ１１０から、入力された溶接個所識別情報に対応する溶接施工管理情報を読み出し、出力部１４０に表示させる（ステップＳ２１）。
【００３７】
ここで、溶接施工管理情報読み出し部１５４は、出力部１４０に溶接施工管理情報を表示させると同時に、“外観検査データ参照”ボタンと“外観検査データ入力”ボタンを出力部１４０に表示させる。検査者は、出力部１４０の溶接施工管理情報の表示を見た後、“外観検査データ入力”ボタンを入力部１３０から押下する。溶接条件管理端末１００の制御部１５０は、外観検査データ入力用の画面（例えば、検査項目を表で表した外観検査成績表の画面）と登録ボタンを出力部１４０に表示させ、外観検査データの入力待ちをする。
【００３８】
そして、検査者は、出力部１４０の表示を見て、配管の溶接個所の外観検査の結果（例えば、芯ずれの有無等、溶接不良に関連する検査項目の検査結果）と溶接検査者名を入力部１３０から入力し、登録ボタンを押下する。溶接条件管理端末１００の制御部１５０は、入力部１３０からの検査結果データと溶接検査者名を受け付けると、溶接個所識別情報と対応付けてメモリ１１０に格納する。この時、溶接施工管理情報書き込み部１５４は、入力された溶接検査者名を、同じ溶接個所識別情報に対応付けられた溶接施工管理情報に書き込む。
【００３９】
その後、サーバ管理者は、複数の検査者からそれぞれ溶接条件管理端末１００を受け取り、通信Ｉ／Ｆ２００に接続して、検査結果データを管理サーバ３００に格納する。次いで、複数の作業者から、それぞれの溶接条件管理端末１００を受け取って通信Ｉ／Ｆ２００に接続し、管理サーバ３００が、検査結果データを溶接条件管理端末１００へ格納する。その後、サーバ管理者は作業者に溶接条件管理端末１００を返却する。
これにより、複数の作業者と検査者の間で、溶接施工管理情報を共有することができるため、溶接不良の検査結果が示された溶接個所を、作業者が再度溶接し直すこと等ができる。また、検査結果データに修正が必要な場合に、管理サーバ３００の検査結果データを修正することで、修正内容を共有することができる。
【００４０】
以下では、作業者が、検査者の検査の結果、溶接不良であった溶接個所の外観検査データを参照する場合について説明する。作業者は、前述の、検査者が溶接施工管理情報を参照した時と同様に、溶接条件管理端末１００を起動し、前述のステップＳ１〜Ｓ４の処理を行い、入力部１３０からバーコード読み込みを選択する。そして、溶接個所のバーコードを溶接条件管理端末１００の識別情報読み取り部１２０から読み取らせる。溶接条件管理端末１００の制御部１５０は、前述のステップＳ５の処理を同様に行い、入力されたバーコードの示す識別情報がメモリ１１０内に格納されていると判断する。その後、制御部１５０が、そのバーコードの示す識別情報が溶接個所識別情報であると判定し、溶接施工管理情報読み出し部１５４が、メモリ１１０から、入力された溶接個所識別情報に対応する溶接施工管理情報を読み出し、出力部１４０に表示させる（ステップＳ２１）。図８は、溶接条件管理端末１００の出力部１４０が溶接施工管理情報を表示した結果の一例である。ここで、溶接条件管理端末１００の出力部１４０には、前述の溶接個所識別情報、溶接日、テスト識別情報、溶接作業者名、及び、溶接検査者名がそれぞれ表示されている。また、出力部１４０には、前述の“外観検査データ参照”ボタンと“外観検査データ入力”ボタンも同時に表示されている。作業者は、この表示を見て、“外観検査データ参照”ボタンを入力部１３０から押下する。溶接条件管理端末１００の制御部１５０は、該当する溶接個所識別情報の検査結果データをメモリ１１０から読み出し“ＯＫ”ボタンと共に出力部１４０に表示させる（ステップＳ２２）。作業者は、出力部１４０の表示を見て、検査結果データを確認する。そして、上記の動作を繰り返し、溶接不良が記された検査結果データを視認すると、再度溶接を行う。その後、“ＯＫ”ボタンを入力部１３０から押下する。溶接条件管理端末１００の制御部１５０は、これを受けて、処理を終了する。なお、この時、溶接条件管理端末１００が、前述のステップＳ２１に遷移し、溶接施工管理情報を表示すると同時に編集ボタンを表示させて、作業者から編集ボタンが押下され、新たに溶接施工管理情報が入力された時に溶接施工管理情報を書き換えても良い。
【００４１】
その後、管理サーバ３００に格納された溶接条件情報、溶接施工管理情報、及び検査結果データを、出力装置４００に出力させる。この際、例えば、管理サーバ３００の制御部３５０が、溶接条件情報、溶接施工管理情報、及び検査結果データを所定のフォーマットで出力させる。これにより、作業報告書や、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）規格の要求事項に合わせた文書等を作成することが可能となり、作業者の作業が軽減される。
【００４２】
このように、溶接テストに用いられるテストピースに付与されたテスト識別情報を読み取り、この識別情報とテストピースの溶接条件情報とを対応付けてメモリ１１０に書き込み、書き込まれた溶接条件情報を出力部１４０に表示し、溶接条件情報に従って溶接された配管の溶接個所に付与された溶接個所識別情報を読み取り、この溶接個所識別情報とテスト識別情報を含む溶接施工管理情報とを対応付けてメモリ１１０に書き込み、書き込まれた溶接施工管理情報を出力部１４０に表示するので、配管の溶接個所と、その溶接時の溶接条件を対応付けて把握することができる。これにより、施工当時には最適な溶接条件だと思われても、その後の技術発展に伴い、更に良い条件が見つかった、又は、使用ガスの性質等、一定の条件が揃った場合に劣化し易くなるようなことが判明した場合、どこの顧客のどのラインが該当するか判明することができるため、配管施工をやり直して改善することができ、配管施工の品質を保証することができる。
【００４３】
また、溶接施工管理情報内に、配管溶接時の固有な情報を格納するため、様々な溶接状況を把握することが可能となる。
【００４４】
なお、上述の実施形態において、溶接条件情報、溶接施工管理情報、検査結果データを管理サーバ３００に格納したが、格納せず、溶接条件管理端末１００をスタンドアローンで動作させても良い。
【００４５】
以上、この発明の実施形態を、図面を参照して詳述してきたが、具体的な構成はこの実施形態に限られるものではなく、この発明の要旨を逸脱しない範囲の設計等も含まれる。
【図面の簡単な説明】
【００４６】
【図１】本発明の一実施形態における溶接条件管理端末の構成図である。
【図２】同実施形態による溶接条件管理システムの全体図である。
【図３】同実施形態における、（ａ）自動溶接機の設定面を示す図、及び（ｂ）配管断面図である。
【図４】同実施形態における、溶接施工管理情報の内容を示す図である。
【図５】同実施形態に用いられる、管理サーバの構成図である。
【図６】同実施形態における、溶接条件管理端末が、テスト識別情報と溶接条件、及び、溶接個所識別情報と溶接施工管理情報を格納する動作を示すフローチャートである。
【図７】同実施形態における、バーコードシールが貼付されたテストピースの説明図である。
【図８】同実施形態における、溶接条件管理端末の出力部が溶接施工管理情報を表示した一例を示す図である。
【図９】従来における、テストピース作製の説明図である。
【図１０】従来における、テストピースの配管内壁を示す図である。
【符号の説明】
【００４７】
１００…溶接条件管理端末
１１０…メモリ
１２０…識別情報読み取り部
１３０…入力部
１４０…出力部
１５０…制御部
１５１…溶接条件書き込み部
１５２…溶接条件読み出し部
１５３…溶接施工管理情報書き込み部
１５４…溶接施工管理情報読み出し部
１６０…接続機構
２００…通信Ｉ／Ｆ
３００…管理サーバ
３１０…メモリ
３３０…入力部
３４０…出力部
３５０…制御部
３５１…端末情報受信部
３５２…端末情報送信部
３６０…通信Ｉ／Ｆ
４００…出力装置
５００…テストピース
５００ａ…配管材
５００ｂ…配管材
５０１…バーコード表記されたテスト識別情報が印刷されたシール
６００…自動溶接機
Ｎ…ネットワーク
【図１】
2006272453.tif 000003
【図２】
2006272453.tif 000004
【図３】
2006272453.tif 000005
【図４】
2006272453.tif 000006
【図５】
2006272453.tif 000007
【図６】
2006272453.tif 000008
【図７】
2006272453.tif 000009
【図８】
2006272453.tif 000010
【図９】
2006272453.tif 000011
【図１０】
2006272453.tif 000012